(57)【特許請求の範囲】
【請求項１】
配信情報を蓄積する配信情報蓄積手段と、上記配信情報蓄積手段により蓄積されている配信情報を少なくとも１以上の表示装置に配信する情報配信手段と、上記情報配信手段により過去に配信された配信情報の配信履歴を管理する配信履歴管理手段と、携帯情報端末から送信された配信情報の送信要求を受信する送信要求受信手段と、上記送信要求受信手段により受信された送信要求に含まれている状態情報が示す判定結果が、利用者が交通機関の利用を伴って移動している旨を示している場合、上記状態情報と対応付けられている時刻と上記状態情報が示す位置の測位結果を参照して、利用者が利用している交通機関を特定するとともに、上記配信履歴管理手段により管理されている配信履歴を参照して、上記交通機関内の表示装置又は上記交通機関の沿線にある表示装置に対して、上記時刻までに配信が完了している配信情報を検索する第１の配信情報検索手段と、上記状態情報が示す判定結果が、利用者が交通機関の利用を伴わずに移動している旨を示している場合、上記状態情報が示す位置の測位結果を参照して、利用者の移動経路を特定するとともに、上記配信履歴を参照して、上記移動経路にある表示装置に対して、上記状態情報と対応付けられている時刻までに配信が完了している配信情報を検索する第２の配信情報検索手段と、上記状態情報が示す判定結果が、利用者が移動していない旨を示している場合、上記状態情報が示す位置の測位結果を参照して、利用者の静止位置を特定するとともに、上記配信履歴を参照して、上記静止位置にある表示装置に対して、上記状態情報と対応付けられている時刻までに配信が完了している配信情報を検索する第３の配信情報検索手段と、上記配信情報蓄積手段により蓄積されている配信情報の中から、上記第１、第２又は第３の配信情報検索手段により検索された配信情報を取得し、上記配信情報を上記携帯情報端末に送信する配信情報送信手段とを備えた情報配信装置。
【請求項２】
配信情報送信手段は、第１、第２又は第３の配信情報検索手段により複数の配信情報が検索された場合、優先度が高い配信情報から順番に携帯情報端末に送信することを特徴とする請求項１記載の情報配信装置。
【請求項３】
第１、第２及び第３の配信情報検索手段は、状態情報と対応付けられている時刻までに配信が完了している配信情報が複数存在する場合、最新の配信情報を検索することを特徴とする請求項１記載の情報配信装置。
【請求項４】
配信情報送信手段は、第１、第２又は第３の配信情報検索手段により検索された配信情報を携帯情報端末に送信する際、上記配信情報に掲載されている広告商品の購入サイトに対するリンク又は上記配信情報に関する詳細情報を示す情報サイトに対するリンクを上記配信情報に含めて送信することを特徴とする請求項１から請求項３のうちのいずれか１項記載の情報配信装置。
【請求項５】
購入サイト又は情報サイトに対する携帯情報端末のアクセス回数をカウントするカウント手段を設けたことを特徴とする請求項４記載の情報配信装置。
【請求項６】
携帯情報端末と情報配信装置から構成されている情報配信システムにおいて、
上記携帯情報端末は、現在の位置を周期的に測位する位置測位手段と、三軸の加速度を周期的に測定する加速度測定手段と、上記加速度測定手段により測定された三軸の加速度の推移を監視して、利用者が移動中であるか否かを判定するとともに、利用者が移動中であれば、交通機関の利用を伴う移動であるか否かを判定する移動判定手段と、上記移動判定手段の判定結果及び上記位置測位手段の測位結果を示す状態情報を時刻と対応付けて管理する状態情報管理手段と、上記状態情報管理手段により管理されている状態情報を参照して、上記移動判定手段の判定結果の中で、同一の判定結果が連続している時間帯を特定し、各時間帯における上記移動判定手段の判定結果を示す一覧表を表示する一覧表表示手段と、上記一覧表表示手段により表示されている一覧表の中から、所望の時間帯の選択を受け付ける選択受付手段と、上記状態情報管理手段により管理されている状態情報の中から、上記選択受付手段により選択が受け付けられた時間帯内の状態情報を取得し、上記状態情報を含む配信情報の送信要求を上記情報配信装置に送信する送信要求送信手段と、上記情報配信装置から上記送信要求に伴って送信された配信情報を受信する配信情報受信手段と、上記配信情報受信手段により受信された配信情報を表示する配信情報表示手段とを備えており、
上記情報配信装置は、配信情報を蓄積する配信情報蓄積手段と、上記配信情報蓄積手段により蓄積されている配信情報を少なくとも１以上の表示装置に配信する情報配信手段と、上記情報配信手段により過去に配信された配信情報の配信履歴を管理する配信履歴管理手段と、上記携帯情報端末の送信要求送信手段から送信された配信情報の送信要求を受信する送信要求受信手段と、上記送信要求受信手段により受信された送信要求に含まれている状態情報が示す判定結果が、利用者が交通機関の利用を伴って移動している旨を示している場合、上記状態情報と対応付けられている時刻と上記状態情報が示す位置の測位結果を参照して、利用者が利用している交通機関を特定するとともに、上記配信履歴管理手段により管理されている配信履歴を参照して、上記交通機関内の表示装置又は上記交通機関の沿線にある表示装置に対して、上記時刻までに配信が完了している配信情報を検索する第１の配信情報検索手段と、上記状態情報が示す判定結果が、利用者が交通機関の利用を伴わずに移動している旨を示している場合、上記状態情報が示す位置の測位結果を参照して、利用者の移動経路を特定するとともに、上記配信履歴を参照して、上記移動経路にある表示装置に対して、上記状態情報と対応付けられている時刻までに配信が完了している配信情報を検索する第２の配信情報検索手段と、上記状態情報が示す判定結果が、利用者が移動していない旨を示している場合、上記状態情報が示す位置の測位結果を参照して、利用者の静止位置を特定するとともに、上記配信履歴を参照して、上記静止位置にある表示装置に対して、上記状態情報と対応付けられている時刻までに配信が完了している配信情報を検索する第３の配信情報検索手段と、上記配信情報蓄積手段により蓄積されている配信情報の中から、上記第１、第２又は第３の配信情報検索手段により検索された配信情報を取得し、上記配信情報を上記携帯情報端末に送信する配信情報送信手段とを備えていることを特徴とする情報配信システム。
【発明の詳細な説明】
【技術分野】
【０００１】
この発明は、配信情報の送信要求を情報配信装置に送信して、その情報配信装置から配信情報を受信する携帯情報端末と、携帯情報端末から送信された送信要求に応じて配信情報を携帯情報端末に配信する情報配信装置と、携帯情報端末と情報配信装置から構成されている情報配信システムとに関するものである。
【背景技術】
【０００２】
従来の情報配信システムでは、例えば、情報配信装置が、屋外に設置されている大画面ディスプレイや、交通機関内のディプレイに対して、広告情報などを配信することで、商品の広告などを行っている。これらのような、大衆の目に触れる場所に設置された表示装置を総称してパブリックディスプレイと呼ぶ。
パブリックディスプレイに表示されている商品の広告などを見ている利用者が、広告の詳細情報などを知りたい場合、例えば、携帯情報端末のＧＰＳ機能を利用して、そのパブリックディスプレイが設置されている位置を示す位置情報（≒携帯情報端末の位置情報）を取得し、その位置情報と時刻情報（広告情報が表示されている時刻）を情報配信装置に送信すれば、情報配信装置から広告情報（例えば、広告の詳細情報を含む情報）を得ることができる。
即ち、情報配信装置は、携帯情報端末から位置情報と時刻情報を受信すると、その位置情報と時刻情報から、利用者が見ているパブリックディスプレイと、そのパブリックディスプレイに対して配信している広告情報を特定することができるので、そのパブリックディスプレイに表示されている広告に関する広告情報を携帯情報端末に送信することができる（例えば、特許文献１を参照）。
【０００３】
したがって、利用者は、パブリックディスプレイを見ているときであれば、そのパブリックディスプレイが設置されている位置を示す位置情報や、広告情報が表示されている時刻を示す時刻情報を取得することができるので、情報配信装置から広告情報を受信することができるが、利用者が、その場を去ってから、広告情報を得たくなっても、もはや、位置情報や時刻情報を取得することができず、情報配信装置から広告情報を受信することができない。
【先行技術文献】
【特許文献】
【０００４】
【特許文献１】特開２００３−３０９６５５号公報（段落番号［００１７］から［００２３］、図１）
【発明の概要】
【発明が解決しようとする課題】
【０００５】
従来の情報配信システムは以上のように構成されているので、利用者が、パブリックディスプレイが設置されている場所から去ってから、パブリックディスプレイに表示されている広告情報を得たくなっても、もはや、パブリックディスプレイが設置されている位置を示す位置情報や、広告情報が表示されている時刻を示す時刻情報を取得することができず、情報配信装置から広告情報を受信することができないなどの課題があった。
【０００６】
この発明は上記のような課題を解決するためになされたもので、利用者が、パブリックディスプレイが設置されている位置を示す位置情報や、配信情報（例えば、広告情報）が表示されている時刻を示す時刻情報を取得して記録するなどの煩雑な操作を行うことなく、その場を去った後でも、所望の配信情報を取得して確認することができる情報配信システムを得ることを目的とする。
また、この発明は、上記のような情報配信システムに適用する携帯情報端末及び情報配信装置を得ることを目的とする。
【課題を解決するための手段】
【０００７】
この発明に係る情報配信システムは、携帯情報端末が、加速度測定手段により測定された三軸の加速度の推移を監視して、利用者が移動中であるか否かを判定するとともに、利用者が移動中であれば、交通機関の利用を伴う移動であるか否かを判定する移動判定手段と、移動判定手段の判定結果及び位置測位手段の測位結果を示す状態情報を時刻と対応付けて管理する状態情報管理手段と、状態情報管理手段により管理されている状態情報を参照して、移動判定手段の判定結果の中で、同一の判定結果が連続している時間帯を特定し、各時間帯における移動判定手段の判定結果を示す一覧表を表示する一覧表表示手段と、一覧表表示手段により表示されている一覧表の中から、所望の時間帯の選択を受け付ける選択受付手段と、状態情報管理手段により管理されている状態情報の中から、選択受付手段により選択が受け付けられた時間帯内の状態情報を取得し、その状態情報を含む配信情報の送信要求を情報配信装置に送信する送信要求送信手段とを備え、情報配信装置が、携帯情報端末の送信要求送信手段から送信された配信情報の送信要求に含まれている状態情報が示す判定結果が、利用者が交通機関の利用を伴って移動している旨を示している場合、その状態情報と対応付けられている時刻と状態情報が示す位置の測位結果を参照して、利用者が利用している交通機関を特定するとともに、配信履歴管理手段により管理されている配信履歴を参照して、交通機関内の表示装置又は交通機関の沿線にある表示装置に対して、その時刻までに配信が完了している配信情報を検索する第１の配信情報検索手段と、その状態情報が示す判定結果が、利用者が交通機関の利用を伴わずに移動している旨を示している場合、その状態情報が示す位置の測位結果を参照して、利用者の移動経路を特定するとともに、その配信履歴を参照して、移動経路にある表示装置に対して、その状態情報と対応付けられている時刻までに配信が完了している配信情報を検索する第２の配信情報検索手段と、その状態情報が示す判定結果が、利用者が移動していない旨を示している場合、その状態情報が示す位置の測位結果を参照して、利用者の静止位置を特定するとともに、その配信履歴を参照して、静止位置にある表示装置に対して、その状態情報と対応付けられている時刻までに配信が完了している配信情報を検索する第３の配信情報検索手段と、配信情報蓄積手段により蓄積されている配信情報の中から、第１、第２又は第３の配信情報検索手段により検索された配信情報を取得して、その配信情報を携帯情報端末に送信する配信情報送信手段とを備えるようにしたものである。
【発明の効果】
【０００８】
この発明によれば、携帯情報端末が、加速度測定手段により測定された三軸の加速度の推移を監視して、利用者が移動中であるか否かを判定するとともに、利用者が移動中であれば、交通機関の利用を伴う移動であるか否かを判定する移動判定手段と、移動判定手段の判定結果及び位置測位手段の測位結果を示す状態情報を時刻と対応付けて管理する状態情報管理手段と、状態情報管理手段により管理されている状態情報を参照して、移動判定手段の判定結果の中で、同一の判定結果が連続している時間帯を特定し、各時間帯における移動判定手段の判定結果を示す一覧表を表示する一覧表表示手段と、一覧表表示手段により表示されている一覧表の中から、所望の時間帯の選択を受け付ける選択受付手段と、状態情報管理手段により管理されている状態情報の中から、選択受付手段により選択が受け付けられた時間帯内の状態情報を取得し、その状態情報を含む配信情報の送信要求を情報配信装置に送信する送信要求送信手段とを備え、情報配信装置が、携帯情報端末の送信要求送信手段から送信された配信情報の送信要求に含まれている状態情報が示す判定結果が、利用者が交通機関の利用を伴って移動している旨を示している場合、その状態情報と対応付けられている時刻と状態情報が示す位置の測位結果を参照して、利用者が利用している交通機関を特定するとともに、配信履歴管理手段により管理されている配信履歴を参照して、交通機関内の表示装置又は交通機関の沿線にある表示装置に対して、その時刻までに配信が完了している配信情報を検索する第１の配信情報検索手段と、その状態情報が示す判定結果が、利用者が交通機関の利用を伴わずに移動している旨を示している場合、その状態情報が示す位置の測位結果を参照して、利用者の移動経路を特定するとともに、その配信履歴を参照して、移動経路にある表示装置に対して、その状態情報と対応付けられている時刻までに配信が完了している配信情報を検索する第２の配信情報検索手段と、その状態情報が示す判定結果が、利用者が移動していない旨を示している場合、その状態情報が示す位置の測位結果を参照して、利用者の静止位置を特定するとともに、その配信履歴を参照して、静止位置にある表示装置に対して、その状態情報と対応付けられている時刻までに配信が完了している配信情報を検索する第３の配信情報検索手段と、配信情報蓄積手段により蓄積されている配信情報の中から、第１、第２又は第３の配信情報検索手段により検索された配信情報を取得して、その配信情報を携帯情報端末に送信する配信情報送信手段とを備えるように構成したので、利用者が、表示装置が設置されている位置を示す位置情報や、配信情報が表示されている時刻を示す時刻情報を取得して記録するなどの煩雑な操作を行うことなく、表示装置が設置されている場所を去った後でも、その表示装置に配信されている配信情報を取得して確認することができる効果がある。
【図面の簡単な説明】
【０００９】
【図１】この発明の実施の形態１による情報配信システムを示す構成図である。
【図２】この発明の実施の形態１による携帯情報端末を示すハードウェア構成図である。
【図３】この発明の実施の形態１による情報配信装置を示すハードウェア構成図である。
【図４】この発明の実施の形態１による携帯情報端末の状態管理機能の処理内容を示すフローチャートである。
【図５】この発明の実施の形態１による携帯情報端末の移動判定部の処理内容を示すフローチャートである。
【図６】この発明の実施の形態１による情報配信装置の処理内容を示すフローチャートである。
【図７】時刻と対応付けられている状態情報の一例を示す説明図である。
【図８】各時間帯における移動判定部１３の判定結果を示す一覧表の一例を示す説明図である。
【図９】広告情報の表示例を示す説明図である。
【発明を実施するための形態】
【００１０】
実施の形態１．
図１はこの発明の実施の形態１による情報配信システムを示す構成図である。
また、図２はこの発明の実施の形態１による携帯情報端末を示すハードウェア構成図であり、図３はこの発明の実施の形態１による情報配信装置を示すハードウェア構成図である。
図１において、携帯情報端末１はインターネットなどの通信網に接続可能な通信機能を有しており、例えば、携帯電話やモバイルＰＣなどの携帯可能な端末が該当する。
携帯情報端末１は利用者の操作の下で、配信情報（過去に情報配信装置３から表示装置４〜７に配信された情報）の送信要求を例えばインターネット経由で情報配信装置３に送信することで、その情報配信装置３から送信された配信情報を受信するなどの処理を実施する。
【００１１】
運行管理サーバ２は電車やバスなどの各種の交通機関の運行情報（ある時刻における列車の在線位置やバスの運行位置などを示す情報）を管理し、交通機関の運行情報を情報配信装置３に配信する装置である。
情報配信装置３は携帯情報端末１から送信された送信要求に応じて配信情報を例えばインターネット経由で携帯情報端末１に配信する装置である。
【００１２】
表示装置４〜７は情報配信装置３から配信された配信情報をディスプレイに表示する装置であり、図１の例では、特に表示装置４は駅前に設置されているパブリックの表示装置であり、表示装置５は商業施設に設置されている表示装置であり、表示装置６は駅中に設置されている表示装置であり、表示装置７は列車などの交通機関内に設置されている表示装置である。
携帯情報端末１において、位置測位部１１、加速度測定部１２、移動判定部１３及び状態情報記録処理部１４から状態管理機能が構成されている。
また、一覧表表示部１６、選択受付部１７、送信要求送信部１８、配信情報受信部１９及び配信情報表示部２０から情報確認機能が構成されている。
【００１３】
携帯情報端末１の位置測位部１１は複数のＧＰＳ衛星から送信されるＧＰＳ信号を受信するＧＰＳ受信機１０１（図２を参照）などから構成されており、ＧＰＳ受信機１０１により受信された複数のＧＰＳ信号を用いて、現在、携帯情報端末１が存在している位置を周期的に測位する処理を実施する。
ただし、位置測位部１１はジャイロスコープなども実装しており、例えば、ＧＰＳ受信機１０１がＧＰＳ信号を受信することができない状況下にあるような場合には、ジャイロスコープの検出情報や、携帯情報端末１が現在通信している基地局の情報などを利用して、現在の位置を測位する。
なお、位置測位部１１は位置測位手段を構成している。
【００１４】
加速度測定部１２は３軸加速度センサ１０２（図２を参照）から構成されており、三軸の加速度を周期的に測定する処理を実施する。なお、加速度測定部１２は加速度測定手段を構成している。
移動判定部１３は例えば携帯情報端末１の通信機能や表示機能などを制御する中央処理装置１０３（例えば、ＣＰＵ）あるいは、専用のチップで構成されており（図２を参照）、加速度測定部１２により測定された三軸の加速度の推移を監視して、利用者が移動中であるのか、静止中であるのかを判定するとともに、利用者が移動中であれば、交通機関の利用を伴う移動であるか否かを判定（例えば、電車やバスなどの交通機関を利用して移動しているのか、歩行による移動であるのかを判定）する処理を実施する。
なお、移動判定部１３は移動判定手段を構成している。
【００１５】
状態情報記録処理部１４は中央処理装置１０３（あるいは、専用のチップ）から構成されており、移動判定部１３の判定結果（利用者の状態：「静止中」、「歩行中」、「交通機関による移動中」）、位置測位部１１の測位結果（緯度、経度）及びＧＰＳ信号による測位品質を示す状態情報を時刻（携帯情報端末１のクロック１０４が示す時刻）と対応付けて、その状態情報を状態情報格納部１５に記録する処理を実施する。
状態情報格納部１５は携帯情報端末１の内部メモリ１０５（図２を参照）から構成されており、状態情報を格納する。
なお、状態情報記録処理部１４及び状態情報格納部１５から状態情報管理手段が構成されている。
【００１６】
一覧表表示部１６は中央処理装置１０３（あるいは、専用のチップ）及び携帯情報端末１のディスプレイ１０６（図２を参照）から構成されており、状態情報格納部１５により格納されている状態情報を参照して、移動判定部１３の判定結果の中で、同一の判定結果が連続している時間帯（同一の状態が連続している時間帯であり、例えば、「歩行中」が連続している時間帯や、「交通機関による移動中」が連続している時間帯）を特定し、各時間帯における移動判定部１３の判定結果を示す一覧表を表示する処理を実施する。なお、一覧表表示部１６は一覧表表示手段を構成している。
【００１７】
選択受付部１７は中央処理装置１０３（あるいは、専用のチップ）、携帯情報端末１の操作キー１０７及び操作キー１０７の信号入力インタフェース１０８（図２を参照）から構成されており、一覧表表示部１６により表示されている一覧表の中から、所望の時間帯の選択を受け付ける処理を実施する。なお、選択受付部１７は選択受付手段を構成している。
【００１８】
送信要求送信部１８は中央処理装置１０３（あるいは、専用のチップ）及び携帯情報端末１の通信インタフェース１０９（図２を参照）から構成されており、状態情報格納部１５により格納されている状態情報の中から、選択受付部１７により選択が受け付けられた時間帯内の状態情報を取得し、その状態情報を含む配信情報の送信要求を例えばインターネット経由で情報配信装置３に送信する処理を実施する。なお、送信要求送信部１８は送信要求送信手段を構成している。
【００１９】
配信情報受信部１９は通信インタフェース１０９から構成されており、情報配信装置３から送信要求に伴って送信された配信情報を受信する処理を実施する。なお、配信情報受信部１９は配信情報受信手段を構成している。
配信情報表示部２０は中央処理装置１０３（あるいは、専用のチップ）及びディスプレイ１０６から構成されており、配信情報受信部１９により受信された配信情報を表示する処理を実施する。なお、配信情報表示部２０は配信情報表示手段を構成している。
【００２０】
情報配信装置３の配信情報蓄積部３１はハードディスク３０１（図３を参照）などの記録媒体から構成されており、表示装置４〜７に配信する配信情報を蓄積している。なお、配信情報蓄積部３１は配信情報蓄積手段を構成している。
情報配信スケジューラ３２は情報配信装置３の中央処理装置３０２（あるいは、専用のチップ）及び通信インタフェース３０３（図３を参照）から構成されており、予め設定されているスケジュールにしたがって配信情報蓄積部３１に蓄積されている配信情報を例えばインターネット経由で表示装置４〜７に配信する処理を実施する。なお、情報配信スケジューラ３２は情報配信手段を構成している。
【００２１】
配信履歴記録処理部３３は中央処理装置３０２（あるいは、専用のチップ）から構成されており、情報配信スケジューラ３２により配信された配信情報の配信履歴（どの配信情報を、どの表示装置に、いつ配信したかを示す情報）を配信履歴格納部３４に記録する処理を実施する。
配信履歴格納部３４はハードディスク３０１などの記録媒体から構成されており、配信情報の配信履歴を格納する。
なお、配信履歴記録処理部３３及び配信履歴格納部３４から配信履歴管理手段が構成されている。
【００２２】
運行情報受信部３５は通信インタフェース３０３から構成されており、運行管理サーバ２から配信された交通機関の運行情報を受信する処理を実施する。
運行情報記録処理部３６は中央処理装置３０２（あるいは、専用のチップ）から構成されており、運行情報受信部３５により受信された交通機関の運行情報を運行情報格納部３７に記録する処理を実施する。
運行情報格納部３７はハードディスク３０１などの記録媒体から構成されており、交通機関の運行情報を格納する。
【００２３】
送信要求受信部３８は通信インタフェース３０３から構成されており、携帯情報端末１の送信要求送信部１８から送信された配信情報の送信要求を受信する処理を実施する。なお、送信要求受信部３８は送信要求受信手段を構成している。
配信情報検索処理部３９は中央処理装置３０２（あるいは、専用のチップ）から構成されており、送信要求に対応する配信情報を検索する処理を実施する。
【００２４】
第１の配信情報検索部３９ａは送信要求受信部３８により受信された送信要求に含まれている状態情報が示す判定結果が、「交通機関による移動中」である旨を示している場合、その状態情報と対応付けられている時刻と、その状態情報が示す位置の測位結果（緯度、経度）と、運行情報格納部３７により格納されている交通機関の運行情報とを参照して、利用者が利用している交通機関を特定する処理を実施する。また、配信履歴格納部３４により格納されている配信履歴を参照して、その交通機関内の表示装置７又は交通機関の沿線にある表示装置４（交通機関の内部から見える位置に設置されている表示装置）に対して、その状態情報と対応付けられている時刻までに配信が完了している配信情報を検索する処理を実施する。なお、第１の配信情報検索部３９ａは第１の配信情報検索手段を構成している。
【００２５】
第２の配信情報検索部３９ｂは送信要求受信部３８により受信された送信要求に含まれている状態情報が示す判定結果が、「歩行中」である旨を示している場合、その状態情報が示す位置の測位結果（緯度、経度）を参照して、利用者の移動経路を特定する処理を実施する。また、配信履歴格納部３４により格納されている配信履歴を参照して、その移動経路にある表示装置（例えば、表示装置４，５，６）に対して、その状態情報と対応付けられている時刻までに配信が完了している配信情報を検索する処理を実施する。なお、第２の配信情報検索部３９ｂは第２の配信情報検索手段を構成している。
【００２６】
第３の配信情報検索部３９ｃは送信要求受信部３８により受信された送信要求に含まれている状態情報が示す判定結果が、「静止中」である旨を示している場合、その状態情報が示す位置の測位結果（緯度、経度）を参照して、利用者の静止位置を特定する処理を実施する。また、配信履歴格納部３４により格納されている配信履歴を参照して、その静止位置にある表示装置（例えば、表示装置４）に対して、その状態情報と対応付けられている時刻までに配信が完了している配信情報を検索する処理を実施する。なお、第３の配信情報検索部３９ｃは第３の配信情報検索手段を構成している。
【００２７】
配信情報送信部４０は中央処理装置３０２（あるいは、専用のチップ）及び通信インタフェース３０３から構成されており、配信情報蓄積部３１により蓄積されている配信情報の中から、第１の配信情報検索部３９ａ、第２の配信情報検索部３９ｂ又は第３の配信情報検索部３９ｃにより検索された配信情報を取得し、その配信情報を例えばインターネット経由で携帯情報端末１に送信する処理を実施する。なお、配信情報送信部４０は配信情報送信手段を構成している。
【００２８】
図４はこの発明の実施の形態１による携帯情報端末１の状態管理機能の処理内容を示すフローチャートである。
また、図５はこの発明の実施の形態１による携帯情報端末１の移動判定部１３の処理内容を示すフローチャートである。
図６はこの発明の実施の形態１による情報配信装置３の処理内容を示すフローチャートである。
【００２９】
次に動作について説明する。
ここでは、説明に便宜上、情報配信装置３が配信情報として、広告情報を配信するものについて説明する。ただし、広告情報は一例に過ぎず、広告情報以外の情報（例えば、ニュース）を配信情報としてもよいことは言うまでもない。
【００３０】
情報配信装置３の情報配信スケジューラ３２は、配信情報蓄積部３１に蓄積されている広告情報（配信情報）の中から、予め設定されているスケジュールにしたがって配信対象の広告情報を取得し、例えばインターネット経由で、その広告情報を表示装置４〜７に配信する（図６のステップＳＴ３１）。
ただし、表示装置４〜７に配信する広告情報は、同一の広告情報であってもよいし、相互に異なる広告情報であってもよい。
表示装置４〜７は、情報配信装置３から配信された広告情報を受信すると、その広告情報をディスプレイに表示する。
配信履歴記録処理部３３は、情報配信スケジューラ３２が広告情報を配信すると、その広告情報の配信履歴（どの広告情報を、どの表示装置に、いつ配信したかを示す情報）を配信履歴格納部３４に記録する（ステップＳＴ３２）。
【００３１】
運行管理サーバ２は、電車やバスなどの各種の交通機関の運行情報（ある時刻における列車の在線位置やバスの運行位置などを示す情報）を管理しており、交通機関の運行情報を情報配信装置３に配信する。
情報配信装置３の運行情報受信部３５は、運行管理サーバ２から配信された交通機関の運行情報を受信し、その運行情報を運行情報記録処理部３６に出力する。
運行情報記録処理部３６は、運行情報受信部３５から交通機関の運行情報を受けると、その運行情報を運行情報格納部３７に記録する。
【００３２】
携帯情報端末１の位置測位部１１は、ＧＰＳ受信機１０１が複数のＧＰＳ衛星から送信されたＧＰＳ信号を受信すると、複数のＧＰＳ信号を用いて、現在、携帯情報端末１が存在している位置を周期的に測位する（図４のステップＳＴ１）。
ただし、位置測位部１１は、ジャイロスコープなども実装しており、ＧＰＳ受信機１０１がＧＰＳ信号を受信することができない環境下にある場合（例えば、利用者が地下街を歩いているような場合や、高いビルの谷間を歩いているような場合）、ジャイロスコープの検出情報や、携帯情報端末１が現在通信している基地局の情報などを利用して、現在の位置を測位することができる。
【００３３】
なお、位置を測位する周期は、予め携帯情報端末１に設定された周期であり、利用者が携帯情報端末１の操作キー１０７を操作することで、適宜、周期を変更できるようにしてもよい。
位置測位部１１により測位された位置を示す位置データは、例えば、リングバッファなどの記録媒体（あるいは、図２の内部メモリ１０５）に格納され（ステップＳＴ２）、後述する状態情報記録処理部１４により定期的に参照される。
【００３４】
加速度測定部１２は、携帯情報端末１に内蔵されている３軸加速度センサ１０２を用いて、三軸の加速度を周期的に測定する（ステップＳＴ３）。
三軸の加速度は、移動判定部１３が移動中であるか否か等を判定する際に利用する情報であり、その加速度を示す加速度データは、例えば、リングバッファなどの記録媒体（あるいは、図２の内部メモリ１０５）に格納され（ステップＳＴ４）、移動判定部１３により参照される。
例えば、移動判定部１３が、サンプリング間隔が１００ｍｓの加速度データを１０個用いて（１秒分の加速度データ）、後述する判定処理を実施するように設計されている場合、加速度測定部１２は、１００ｍｓの周期で三軸の加速度を測定する。
なお、加速度データのサンプリング間隔や処理に利用するデータ数は、情報配信装置３の処理性能などを考慮して設計され、必要に応じて変更するようにしてもよい。
【００３５】
移動判定部１３は、加速度測定部１２により一定数の加速度データ（例えば、１０個の加速度データ）が得られると（ステップＳＴ５）、それらの加速度データを用いて、判定処理を実施する（ステップＳＴ６）。
即ち、移動判定部１３は、加速度測定部１２により測定された三軸の加速度の推移を監視して、利用者が移動中であるのか、静止中であるのかを判定するとともに、利用者が移動中であれば、交通機関の利用を伴う移動であるか否かを判定する。
【００３６】
以下、移動判定部１３における判定処理の内容を具体的に説明する。
ここでは、説明の便宜上、利用者の状態を「静止中」、「歩行中」、「交通機関による移動中」の３つに分類するものとする。ここでは、３つの状態に分類するものについて説明するが、これは一例に過ぎず、他の状態に分類するようにしてもよい。
なお、詳細は後述するが、三軸の加速度の全てにおいて、変化が少ない場合に「静止中」、一定以上の上下方向の加速度が周期的に現れる場合に「歩行中」、重力加速度方向に垂直な加速度成分（水平方向に近い加速度成分）が増加する場合に「交通機関による移動中」であると判定する。
ただし、移動判定部１３が判定処理を行うに際して、利用者による携帯情報端末１の持ち方が不定であることを考慮している（３軸加速度センサ１０２の取り付け軸と重力方向軸が一致しない場合を考慮している）。
【００３７】
まず、移動判定部１３は、加速度測定部１２により一定数の加速度データが得られると、判定処理を開始し（ここでは、サンプリング周期１００ｍｓの加速度データが１０個得られると判定処理を開始するものとする）、１０個の加速度データにおける各成分の平均値を算出する。即ち、１０個の加速度データから三軸の成分をそれぞれ取り出して、各成分毎に、１０個の加速度の平均値を算出する。
移動判定部１３は、各成分の平均値を算出すると、各成分の平均値をベクトル化することで、重力加速度ベクトルを求める（図５のステップＳＴ１１）。
【００３８】
次に、移動判定部１３は、最新の加速度データの各成分から、重力加速度ベクトルの各成分を差し引いて、正規化加速度ベクトル（正規化加速度ベクトルの各成分＝最新の加速度データの各成分−重力加速度ベクトルの各成分）を求める（ステップＳＴ１２）。
移動判定部１３は、正規化加速度ベクトルを求めると、最新の加速度データが、どれだけ重力方向に影響しているかを調べるために、重力加速度ベクトルと正規化加速度ベクトルの内積を算出する（ステップＳＴ１３）。
また、移動判定部１３は、利用者の運動の有無を調べるために、正規化加速度ベクトルの大きさを算出するとともに、重力加速度ベクトルの大きさを算出する（ステップＳＴ１４）。
【００３９】
次に、移動判定部１３は、重力加速度ベクトルと正規化加速度ベクトルの内積と、重力加速度ベクトル及び正規化加速度ベクトルの大きさから、重力加速度ベクトルと正規化加速度ベクトルのなす角度を算出する（ステップＳＴ１５）。
移動判定部１３は、ステップＳＴ１１〜ステップＳＴ１５の処理を予め設定された回数Ｎ（例えば、Ｎ＝１０回）だけ繰り返し実施し（ステップＳＴ１６）、ステップＳＴ１１〜ステップＳＴ１５の処理をＮ回行うと、ステップＳＴ１７の処理に移行して判定処理を実施する。
ただし、回数Ｎは、情報配信装置３の処理性能などを考慮して設計され、必要に応じて変更するようにしてもよい。
【００４０】
移動判定部１３は、ステップＳＴ１１〜ステップＳＴ１５の処理をＮ回（例えば、Ｎ＝１０回）行うと、正規化加速度ベクトルの大きさを示す算出結果がＮ個得られているので、Ｎ個の算出結果を所定の閾値Ａ（閾値Ａは、例えば、３軸加速度センサ１０２の性能や検知範囲などに応じて適宜設定されているものとする）と比較する。
このとき、移動判定部１３は、Ｎ個の算出結果の中で、閾値Ａ以下の算出結果がＣ個（例えば、Ｃ＝７）未満であれば（ステップＳＴ１７）、三軸の加速度の全てにおいて、変化が少ないので、利用者は「静止中」であると判定する（ステップＳＴ１８）。
【００４１】
移動判定部１３は、閾値Ａを越える算出結果がＣ個（例えば、Ｃ＝７）以上であれば（ステップＳＴ１７）、利用者は「移動中」であると判定し、利用者の移動手段を特定するため、Ｎ回算出している重力加速度ベクトルと正規化加速度ベクトルの内積の中で、最大の内積と最小の内積を特定し、最大の内積と最小の内積との差分を算出する。
そして、移動判定部１３は、最大の内積と最小の内積との差分を所定の閾値Ｂ（閾値Ｂは、例えば、３軸加速度センサ１０２の性能や検知範囲などに応じて適宜設定されているものとする）と比較する。
このとき、移動判定部１３は、最大の内積と最小の内積との差分が閾値Ｂを越える場合（ステップＳＴ１９）、一定以上の上下方向の加速度が周期的に現れているので、利用者は「歩行中」であると判定する（ステップＳＴ２０）。
【００４２】
移動判定部１３は、最大の内積と最小の内積との差分が閾値Ｂを越えていない場合（ステップＳＴ１９）、Ｎ回算出している重力加速度ベクトルと正規化加速度ベクトルのなす角度の平均値を算出し、なす角度の平均値が９０度±α度（α度は、例えば、３軸加速度センサ１０２の性能に応じて適宜設定されているものとする）の範囲内であるか否かを判定する。
このとき、移動判定部１３は、なす角度の平均値が９０度±α度の範囲内であれば、利用者の水平方向の加速度が増加しており、「交通機関による移動中」である可能性が高いので、最新の重力加速度ベクトルと正規化加速度ベクトルの内積が所定の閾値Ｄ（閾値Ｄは、例えば、３軸加速度センサ１０２の性能や検知範囲などに応じて適宜設定されているものとする）未満であり、かつ、最新の正規化加速度ベクトルの大きさが所定の閾値Ｅ（閾値Ｅは、例えば、３軸加速度センサ１０２の性能や検知範囲などに応じて適宜設定されているものとする）未満であれば（ステップＳＴ２１）、「交通機関による移動中」であると判定する（ステップＳＴ２２）。
【００４３】
一方、なす角度の平均値が９０度±α度の範囲内でない場合、あるいは、最新の重力加速度ベクトルと正規化加速度ベクトルの内積が閾値Ｄ以上である場合、あるいは、最新の正規化加速度ベクトルの大きさが閾値Ｅである場合、前回の判定結果を踏襲する（ステップＳＴ２３）。
即ち、前回の判定結果が「静止中」であれば、今回の判定結果も「静止中」とし、前回の判定結果が「歩行中」であれば、今回の判定結果も「歩行中」とし、前回の判定結果が「交通機関による移動中」であれば、今回の判定結果も「交通機関による移動中」とする。
【００４４】
ここでは、移動判定部１３が上記の判定処理を実施して、利用者の状態を判定するものについて示したが、例えば、位置測位部１１により測位される位置の変化から、移動者の移動量と速度を算出し、その移動量と速度を用いて、利用者の状態の判定結果を補正するようにしてもよい。
このとき、ＧＰＳ信号の測位品質パラメータ（ＧＰＳ信号による測位品質を示す情報）を参照することで、例えば、補正前の判定結果と補正後の判定結果のうち、より正しい可能性がある判定結果を選択するようにしてもよい。
例えば、ＧＰＳ信号の測位品質パラメータが「最良」又は「良」であれば、補正後の判定結果を選択し、「最良」又は「良」以外であれば、補正前の判定結果を選択する。
【００４５】
携帯情報端末１の状態情報記録処理部１４は、移動判定部１３の判定処理が終了すると、図７に示すように、移動判定部１３の判定結果（利用者の状態：「静止中」、「歩行中」、「交通機関による移動中」）、位置測位部１１の測位結果（緯度、経度）及びＧＰＳ信号の測位品質を状態情報として、その状態情報を時刻（携帯情報端末１のクロック１０４が示す時刻）と対応付けて、状態情報格納部１５に記録する（図５のステップＳＴ７）。
【００４６】
携帯情報端末１の一覧表表示部１６は、状態情報格納部１５により格納されている図７の状態情報を参照して、移動判定部１３の判定結果の中で、同一の判定結果が連続している時間帯（同一の状態が連続している時間帯）を特定する。即ち、「静止中」が連続している時間帯、「歩行中」が連続している時間帯、「交通機関による移動中」が連続している時間帯を特定する。
一覧表表示部１６は、同一の判定結果が連続している時間帯（同一の状態が連続している時間帯）を特定すると、同一の状態が連続している時間帯の判定結果をグルーピングする。即ち、「静止中」が連続している時間帯の判定結果をグルーピングし、「歩行中」が連続している時間帯の判定結果をグルーピングし、「交通機関による移動中」が連続している時間帯の判定結果をグルーピングする。
【００４７】
ただし、同一の状態が連続している時間帯の判定結果をグルーピングする際、例えば、利用者が交通機関を利用して移動しているとき、微小時間だけ「歩行中」である旨を示す判定結果や「静止中」である旨を示す判定結果が、「交通機関による移動中」である旨を示す判定結果の間に含まれている場合、「歩行中」である旨を示す判定結果や「静止中」である旨を示す判定結果は誤検知であると考えて、「歩行中」である旨を示す判定結果や「静止中」である旨を示す判定結果を「交通機関による移動中」である旨を示す判定結果に集約するなどの整合性チェック処理を行うようにしてもよい。
【００４８】
一覧表表示部１６は、同一の状態が連続している時間帯の判定結果をグルーピングすると、各時間帯における移動判定部１３の判定結果を示す一覧表を表示する。
ここで、図８は各時間帯における移動判定部１３の判定結果を示す一覧表の一例を示す説明図である。
図８の例では、「２００９／８／１６  １０：００〜１０：０７」は「交通機関による移動中」であり、「２００９／８／１６  １０：０８〜１０：２５」は「歩行中」であり、「２００９／８／１６  １０：２６〜１１：５５」は「静止中」であり、「２００９／８／１６  １１：５６〜１２：１０」は「歩行中」である旨を示している。
【００４９】
なお、一覧表表示部１６による一覧表の表示処理は、利用者が携帯情報端末１の操作キー１０７を操作して、例えば、一覧表の表示メニューが選択されたとき、あるいは、予め一覧表の表示処理が割り付けられている操作キー１０７が押されたときに起動されて、一覧表を表示する。
ここでは、各時間帯における移動判定部１３の判定結果を表示しているが、例えば、ＧＰＳ信号を利用して所在地が検索されている場合には、その検索結果を移動判定部１３の判定結果と一緒に表示するようにしてもよい。
また、移動判定部１３の判定結果が「交通機関による移動中」である場合には、予め情報配信サーバ３に問い合わせを実施して、交通機関の路線名や上り下り種別や走行駅間の情報を移動判定部１３の判定結果と一緒に表示するようにしてもよい。
【００５０】
選択受付部１７は、一覧表表示部１６により表示されている一覧表を見ている利用者が、操作キー１０７を操作して、一覧表の中から、所望の時間帯を指定すると、その時間帯の選択を受け付けて、その選択情報を送信要求送信部１８に出力する。
送信要求送信部１８は、選択受付部１７から選択情報を受けると、状態情報格納部１５により格納されている状態情報の中から、その選択情報が示す時間帯内の状態情報を取得する。
例えば、利用者が「２００９／８／１６  １０：０８〜１０：２５」の時間帯を選択すると、「２００９／８／１６  １０：０８〜１０：２５」の時間帯内の状態情報（「歩行中」である旨を示す判定結果や、位置情報（緯度、経度））を取得する。
送信要求送信部１８は、選択情報が示す時間帯内の状態情報を取得すると、その状態情報を含む配信情報の送信要求を例えばインターネット経由で情報配信装置３に送信する。
【００５１】
情報配信装置３の送信要求受信部３８は、携帯情報端末１の送信要求送信部１８から送信された配信情報の送信要求を受信し（図６のステップＳＴ３３）、その送信要求を配信情報検索処理部３９に出力する。
配信情報検索処理部３９は、送信要求受信部３８から配信情報の送信要求を受けると、その送信要求に対応する広告情報（配信情報）を検索する。
具体的には、配信情報検索処理部３９における配信情報検索部３９ａ，３９ｂ，３９ｃが、以下に示すようにして、送信要求に対応する広告情報を検索する。
【００５２】
第１の配信情報検索部３９ａは、送信要求受信部３８により受信された送信要求に含まれている状態情報が示す判定結果が、「交通機関による移動中」である旨を示している場合（ステップＳＴ３４）、その状態情報と対応付けられている時刻と、その状態情報が示す位置の測位結果（緯度、経度）と、運行情報格納部３７により格納されている交通機関の運行情報とを参照して、利用者が利用している交通機関を特定する（ステップＳＴ３５）。
即ち、第１の配信情報検索部３９ａは、送信要求に含まれている状態情報が示す判定結果が、「交通機関による移動中」である旨を示している場合、その状態情報が示す位置の測位結果（緯度、経度）から利用者の移動経路を特定し、交通機関の路線情報（路線情報は、予めハードディスク３０１に記憶されているものとする）が示す路線の中で、その移動経路と一致する交通機関の路線を検索する。
第１の配信情報検索部３９ａは、交通機関の路線を検索すると、その状態情報と対応付けられている時刻と位置の測位結果（緯度、経度）を、その路線に係る運行情報（ある時刻における列車の在線位置やバスの運行位置などを示す情報）と対比することで、利用者が乗車している列車やバスなどの交通機関を特定する（例えば、列車番号、バス番号を特定する）。
【００５３】
第１の配信情報検索部３９ａは、利用者が乗車している列車やバスなどの交通機関を特定すると、配信履歴格納部３４により格納されている配信履歴を参照して、その列車やバスなどの交通機関の内部に設置されている表示装置７に対して、その状態情報と対応付けられている時刻までに配信が完了している広告情報を検索する（ステップＳＴ３６）。
また、利用者が乗車している列車やバス等の沿線にある表示装置４（列車やバス等の内部から見える位置に設置されている表示装置）に対して、その状態情報と対応付けられている時刻までに配信が完了している広告情報を検索する（ステップＳＴ３６）。
【００５４】
第２の配信情報検索部３９ｂは、送信要求受信部３８により受信された送信要求に含まれている状態情報が示す判定結果が、「歩行中」である旨を示している場合（ステップＳＴ３７）、その状態情報が示す位置の測位結果（緯度、経度）を参照して、利用者の移動経路を特定する（ステップＳＴ３８）。
第２の配信情報検索部３９ｂは、利用者の移動経路を特定すると、配信履歴格納部３４により格納されている配信履歴を参照して、その移動経路にある表示装置（例えば、表示装置４，５，６）に対して、その状態情報と対応付けられている時刻までに配信が完了している広告情報を検索する（ステップＳＴ３９）。
【００５５】
第３の配信情報検索部３９ｃは、送信要求受信部３８により受信された送信要求に含まれている状態情報が示す判定結果が、「静止中」である旨を示している場合（ステップＳＴ４０）、その状態情報が示す位置の測位結果（緯度、経度）を参照して、利用者の静止位置を特定する（ステップＳＴ４１）。
第３の配信情報検索部３９ｃは、利用者の静止位置を特定すると、配信履歴格納部３４により格納されている配信履歴を参照して、その静止位置にある表示装置（例えば、表示装置４）に対して、その状態情報と対応付けられている時刻までに配信が完了している広告情報を検索する（ステップＳＴ４２）。
【００５６】
ここでは、第１の配信情報検索部３９ａ、第２の配信情報検索部３９ｂ及び第３の配信情報検索部３９ｃが、状態情報と対応付けられている時刻までに配信が完了している広告情報を検索するものについて示したが、状態情報と対応付けられている時刻までに配信が完了している広告情報が複数存在している場合、その時刻において、表示装置が、いずれの広告情報を表示しているのかは不明であるため、複数の広告情報を検索する。
ただし、表示装置が、常に最新の広告情報を表示するように設定されているような場合には、複数の広告情報の中で、最新の広告情報（配信時刻が最も遅い広告情報）を検索する。
【００５７】
配信情報送信部４０は、第１の配信情報検索部３９ａ、第２の配信情報検索部３９ｂ又は第３の配信情報検索部３９ｃが広告情報を検索すると、配信情報蓄積部３１により蓄積されている広告情報の中から、第１の配信情報検索部３９ａ、第２の配信情報検索部３９ｂ又は第３の配信情報検索部３９ｃにより検索された広告情報を取得する（ステップＳＴ４３）。
そして、配信情報送信部４０は、例えば、その広告情報をＨＴＭＬなどの形式を用いてレイアウティングし、レイアウティング後の広告情報を例えばインターネット経由で携帯情報端末１に送信する（ステップＳＴ４４）。
【００５８】
なお、配信情報送信部４０は、第１の配信情報検索部３９ａ、第２の配信情報検索部３９ｂ又は第３の配信情報検索部３９ｃにより複数の広告情報が検索された場合、配信情報蓄積部３１により蓄積されている広告情報の中から、複数の検索結果に対応する複数の広告情報を取得して、携帯情報端末１に送信するが、その際、予め設定されている優先度が高い広告情報から順番に携帯情報端末１に送信する。
広告情報の優先度は、例えば、広告料金などを考慮して設定されることが想定されるが、必要に応じて適宜変更するようにしてもよい。
【００５９】
携帯情報端末１の配信情報受信部１９は、情報配信装置３から送信要求に伴って送信された広告情報（レイアウティング後の広告情報）を受信する。
配信情報表示部２０は、配信情報受信部１９が広告情報を受信すると、一般的なＨＴＭＬビューワによって、その広告情報をディスプレイ１０６に表示する。
ここで、図９は広告情報の表示例を示す説明図である。
図９の例では、文字のみで構成されている広告情報を表示しているが、図や写真やビデオなど含む広告情報を表示するようにしてもよい。
【００６０】
以上で明らかなように、この実施の形態１によれば、携帯情報端末１が、加速度測定部１２により測定された三軸の加速度の推移を監視して、利用者が移動中であるか否かを判定するとともに、利用者が移動中であれば、交通機関の利用を伴う移動であるか否かを判定する移動判定部１３と、移動判定部１３の判定結果及び位置測位部１１の測位結果を示す状態情報を時刻と対応付けて状態情報格納部１５に記録する状態情報記録処理部１４と、状態情報格納部１５により格納されている状態情報を参照して、移動判定部１３の判定結果の中で、同一の判定結果が連続している時間帯を特定し、各時間帯における移動判定部１３の判定結果を示す一覧表を表示する一覧表表示部１６と、一覧表表示部１６により表示されている一覧表の中から、所望の時間帯の選択を受け付ける選択受付部１７と、状態情報格納部１５により格納されている状態情報の中から、選択受付部１７により選択が受け付けられた時間帯内の状態情報を取得し、その状態情報を含む配信情報の送信要求を情報配信装置３に送信する送信要求送信部１８とを設け、配信情報表示部２０が配信情報受信部１９により受信された送信要求に係る配信情報を表示するように構成したので、利用者が、表示装置４〜７が設置されている位置を示す位置情報や、配信情報が表示されている時刻を示す時刻情報を取得して記録するなどの煩雑な操作を行うことなく、表示装置４〜７が設置されている場所を去った後でも、その表示装置４〜７に配信されている配信情報を取得して確認することができる効果を奏する。
【００６１】
この実施の形態１によれば、情報配信装置３が、携帯情報端末１の送信要求送信部１８から送信された配信情報の送信要求に含まれている状態情報が示す判定結果が、利用者が交通機関の利用を伴って移動している旨を示している場合、その状態情報と対応付けられている時刻と状態情報が示す位置の測位結果を参照して、利用者が利用している交通機関を特定するとともに、配信履歴格納部３４により格納されている配信履歴を参照して、交通機関内の表示装置７又は交通機関の沿線にある表示装置４に対して、その時刻までに配信が完了している配信情報を検索する第１の配信情報検索部３９ａと、その状態情報が示す判定結果が、利用者が交通機関の利用を伴わずに移動している旨を示している場合、その状態情報が示す位置の測位結果を参照して、利用者の移動経路を特定するとともに、その配信履歴を参照して、移動経路にある表示装置に対して、その状態情報と対応付けられている時刻までに配信が完了している配信情報を検索する第２の配信情報検索部３９ｂと、その状態情報が示す判定結果が、利用者が移動していない旨を示している場合、その状態情報が示す位置の測位結果を参照して、利用者の静止位置を特定するとともに、その配信履歴を参照して、静止位置にある表示装置に対して、その状態情報と対応付けられている時刻までに配信が完了している配信情報を検索する第３の配信情報検索部３９ｃとを設け、配信情報送信部４０が、配信情報蓄積部３１により蓄積されている配信情報の中から、第１の配信情報検索部３９ａ、第２の配信情報検索部３９ｂ又は第３の配信情報検索部３９ｃにより検索された配信情報を取得して、その配信情報を携帯情報端末１に送信するように構成したので、利用者が見ている可能性が高い配信情報を携帯情報端末１に送信することができる効果を奏する。
【００６２】
また、この実施の形態１によれば、配信情報送信部４０が、第１の配信情報検索部３９ａ、第２の配信情報検索部３９ｂ又は第３の配信情報検索部３９ｃにより複数の配信情報が検索された場合、優先度が高い配信情報から順番に携帯情報端末１に送信するように構成したので、例えば、広告価値が高い配信情報を優先的に送信することができる効果を奏する。
なお、携帯情報端末１の送信要求送信部１８が配信情報の送信要求を情報配信装置３に送信する際、例えば、利用者の性別や年齢などを示す属性情報を情報配信装置３に送信し、情報配信装置３の配信情報送信部４０が、その属性情報に応じて複数の配信情報の送信順序を適宜変更するようにしてもよい。
【００６３】
この実施の形態１によれば、配信情報検索部３９ａ，３９ｂ，３９ｃが、状態情報と対応付けられている時刻までに配信が完了している配信情報が複数存在する場合、最新の配信情報を検索するように構成したので、利用者が見ている可能性が高い配信情報を携帯情報端末１に送信することができる効果を奏する。
【００６４】
実施の形態２．
上記実施の形態１では、配信情報送信部４０が、第１の配信情報検索部３９ａ、第２の配信情報検索部３９ｂ又は第３の配信情報検索部３９ｃにより検索された配信情報を携帯情報端末１に送信するものについて示したが、その配信情報を携帯情報端末１に送信する際、例えば、配信情報に掲載している広告商品の購入サイトに対するリンクや、その配信情報に関する詳細情報を示す情報サイトに対するリンク（図９を参照）を当該配信情報に含めて送信するようにしてもよい。
これにより、利用者は、リンクをクリックするだけで、広告商品の購入サイトや、詳細情報を示す情報サイトを表示することができるので、簡単に広告商品を購入することができるとともに、簡単に広告商品の詳細な情報を知ることができる効果を奏する。
【００６５】
このように、購入サイトや情報サイトに対するリンクを配信情報に含めて送信するようにする場合、購入サイトや情報サイトに対する携帯情報端末１のアクセス回数をカウントするカウント手段を情報配信装置３が実装するようにしてもよい。
例えば、情報配信装置３の配信情報送信部４０が、ＣＧＩ（Ｃｏｍｍｏｎ  Ｇａｔｅｗａｙ  Ｉｎｔｅｒｆａｃｅ）やＡＳＰ（Ａｃｔｉｖｅ  Ｓｅｒｖｅｒ  Ｐａｇｅｓ）で実現されているパラメータを含むリンクを設定するようにして、一旦、情報配信サーバ３が、購入サイトや情報サイトに対する携帯情報端末１からのアクセス要求を受信するようにすれば、購入サイトや情報サイトに対する携帯情報端末１のアクセス回数をカウントするカウント手段を構成することができる。
また、利用者が購入サイトで広告商品を購入した場合、購入サイトの運営者又は携帯情報端末１が、広告商品が購入された旨を示す購入完了情報を情報配信装置３に送信するようにすれば、情報配信装置３側では、情報検索から購入実績までをカウントすることが可能になる。この方法を用いると、広告などの提供情報により、どれだけの効果があったかを知ることができるようになる。
【符号の説明】
【００６６】
１  携帯情報端末、２  運行管理サーバ、３  情報配信装置、４〜７  表示装置、１１  位置測位部（位置測位手段）、１２  加速度測定部（加速度測定手段）、１３  移動判定部（移動判定手段）、１４  状態情報記録処理部（状態情報管理手段）、１５  状態情報格納部（状態情報管理手段）、１６  一覧表表示部（一覧表表示手段）、１７  選択受付部（選択受付手段）、１８  送信要求送信部（送信要求送信手段）、１９  配信情報受信部（配信情報受信手段）、２０  配信情報表示部（配信情報表示手段）、３１  配信情報蓄積部（配信情報蓄積手段）、３２  情報配信スケジューラ（情報配信手段）、３３  配信履歴記録処理部（配信履歴管理手段）、３４  配信履歴格納部（配信履歴管理手段）、３５  運行情報受信部、３６  運行情報記録処理部、３７  運行情報格納部、３８  送信要求受信部（送信要求受信手段）、３９  配信情報検索処理部、３９ａ  第１の配信情報検索部（第１の配信情報検索手段）、３９ｂ  第２の配信情報検索部（第２の配信情報検索手段）、３９ｃ  第３の配信情報検索部（第３の配信情報検索手段）、４０  配信情報送信部（配信情報送信手段）、１０１  ＧＰＳ受信機、１０２  ３軸加速度センサ、１０３  中央処理装置、１０４  クロック、１０５  内部メモリ、１０６  ディスプレイ、１０７  操作キー、１０８  信号入力インタフェース、１０９  通信インタフェース、３０１  ハードディスク、３０２  中央処理装置、３０３  通信インタフェース。
【図１】
0005542415.tif 000002
【図２】
0005542415.tif 000003
【図３】
0005542415.tif 000004
【図４】
0005542415.tif 000005
【図５】
0005542415.tif 000006
【図６】
0005542415.tif 000007
【図７】
0005542415.tif 000008
【図８】
0005542415.tif 000009
【図９】
0005542415.tif 000010